(57)【要約】【課題】コストを抑えつつ、画像の濃度に適したスキャニング処理ができると共にフィルムに形成された傷や付着した塵埃を精度よく検出できるようにする。【解決手段】フィルムスキャナ１００の照明光学ユニット１１ではハロゲンランプ２２から可視光及び赤外光、赤外ＬＥＤ２１から赤外光が出射される。ハロゲンランプ２２からの可視光はコールドミラー２３によって反射され、赤外ＬＥＤ２１からの赤外光はコールドミラー２３を透過して、共に写真フィルム１を透過する。ハロゲンランプ２２からの赤外光はコールドミラー２３を透過して写真フィルム１に照射されない。写真フィルム１を透過した可視光及び赤外光はコールドミラー１７で分離され、それぞれ可視光用ＣＣＤ１５および赤外光用ＣＣＤ１６に受光される。制御ユニット１４０は写真フィルム１の画像濃度に基づいてＣＣＤ電荷蓄積時間を制御し、赤外光用ＣＣＤ１６で電荷がオーバーフローしないように赤外ＬＥＤ２１から出射される赤外光の強度を制御する。【選択図】　　　　図１
2004056404.tif 000002
【特許請求の範囲】
【請求項１】
可視光及び赤外光を出射する第１の光源と、
赤外光を出射する第２の光源と、
前記第１の光源及び前記第２の光源から出射された光を、前記第１の光源から出射された可視光及び前記第２の光源から出射された赤外光と、前記第１の光源から出射された赤外光とに分離する第１の分離手段と、
前記第１の分離手段で分離されて前記フィルムに記録された画像を透過した前記第１の光源から出射された可視光及び前記第２の光源から出射された赤外光を、可視光と赤外光とに分離する第２の分離手段と、
前記第２の分離手段で分離された可視光について光電変換を行うための第１の撮像素子と、
前記第２の分離手段で分離された赤外光について光電変換を行うための第２の撮像素子と、
前記第１の撮像素子及び前記第２の撮像素子で行われる光電変換での電荷蓄積時間を、フィルムに記録された画像の濃度に基づいて制御するための蓄積時間制御手段と、
前記第２の撮像素子で電荷がオーバーフローしないように前記第２の光源から出射される赤外光の強度を制御するための赤外強度制御手段とを備えていることを特徴とするフィルムスキャナ。
【請求項２】
可視光を出射する第１の光源と、
赤外光を出射する第２の光源と、
前記第１の光源及び前記第２の光源から出射されて前記フィルムに記録された画像を透過した光を、可視光と赤外光とに分離する分離手段と、
前記分離手段で分離された可視光について光電変換を行うための第１の撮像素子と、
前記分離手段で分離された赤外光について光電変換を行うための第２の撮像素子と、
前記第１の撮像素子及び前記第２の撮像素子で行われる光電変換での電荷蓄積時間を、フィルムに記録された画像の濃度に基づいて制御するための蓄積時間制御手段と、
前記第２の撮像素子で電荷がオーバーフローしないように前記第２の光源から出射される赤外光の強度を制御するための赤外強度制御手段とを備えていることを特徴とするフィルムスキャナ。
【発明の詳細な説明】
【０００１】
【発明の属する技術分野】
本発明は、フィルムに記録された画像をデジタル画像として取り込むフィルムスキャナに関する。
【０００２】
【従来の技術】
写真フィルムに記録された画像をフィルムスキャナで読み込み、デジタル画像に変換するという技術が知られている。従来のフィルムスキャナでは、光源として一般にハロゲン光が用いられ、調光フィルタなどを介してこのハロゲン光をフィルムに透過させ、ＣＣＤイメージセンサによってＲ，Ｇ，Ｂ各色成分を検出させてデジタル画像を形成する。
【０００３】
このときハロゲン光からは、Ｒ，Ｇ，Ｂ各色成分の可視光と共に赤外光が出射される。そこで赤外光がフィルムに形成された傷や付着した塵埃において乱反射するという性質を利用して、赤外光を赤外光用ＣＣＤで受光して傷や塵埃を検出して読み込んだ画像を補正するという処理が行われる。また、高濃度の写真フィルムを用いる場合は可視光の透過率が低下するため、画像のＳ／Ｎ比が上がるようにＣＣＤの蓄積時間を長くするという対策が一般にとられている。
【０００４】
【発明が解決しようとする課題】
しかしながら、赤外光は可視光と異なりフィルム濃度に関わらずほぼ一定の透過率を有するため、赤外光用ＣＣＤは強度の大きな赤外光を受光することになり、蓄積時間が長くなるとオーバーフローする恐れがある。このように赤外光用ＣＣＤがオーバーフローしてしまうと、フィルムの傷や塵埃の検出処理を適切に行うことができない。
【０００５】
赤外光用ＣＣＤのオーバーフローを防止するためには、蓄積時間をコントロールできるシャッタ機能付きのＣＣＤを採用すればよいが、シャッタ機能付きのＣＣＤは比較的高価なためコスト面で不利になる。
【０００６】
シャッタ機能付きのＣＣＤを用いない場合には、赤外光用ＣＣＤの蓄積時間を所定値に設定することでオーバーフローを防止することができる。しかしＣＣＤの電荷蓄積時間を例えば１．５倍など整数倍以外に変更しようとしてもＣＣＤによる電荷の蓄積と転送とを効率よく行うことができない（詳しくは、蓄積時間を１．５倍とした場合、０．５倍の蓄積時間内に蓄積された電荷に１．０倍の蓄積時間内に蓄積された電荷とは異なる特別の処理を行わなければならない）ため、ＣＣＤの蓄積時間を整数倍に以外に変更することは現実的に不可能である。一方ＣＣＤの蓄積時間の変更が整数倍であると、所定のＳ／Ｎ比が得られなかったりＣＣＤのオーバーフローが生じたりするおそれがある。したがって、特に高濃度のフィルムに対するスキャニング処理を行う際、ＣＣＤの蓄積時間を長くして画像のＳ／Ｎ比を上げる必要があるが、傷や塵埃の検出を精度よく行うことは困難になる。
【０００７】
そこで、本発明の主な目的は、コストを抑えつつ、画像の濃度に適したスキャニング処理を行うことができると共にフィルムに形成された傷や付着した塵埃を精度よく検出できるフィルムスキャナを提供することである。
【０００８】
【課題を解決するための手段】
上記目的を達成するために、請求項１のフィルムスキャナは、可視光及び赤外光を出射する第１の光源と、赤外光を出射する第２の光源と、前記第１の光源及び前記第２の光源から出射された光を、前記第１の光源から出射された可視光及び前記第２の光源から出射された赤外光と、前記第１の光源から出射された赤外光とに分離する第１の分離手段と、前記第１の分離手段で分離されて前記フィルムに記録された画像を透過した前記第１の光源から出射された可視光及び前記第２の光源から出射された赤外光を、可視光と赤外光とに分離する第２の分離手段と、前記第２の分離手段で分離された可視光について光電変換を行うための第１の撮像素子と、前記第２の分離手段で分離された赤外光について光電変換を行うための第２の撮像素子と、前記第１の撮像素子及び前記第２の撮像素子で行われる光電変換での電荷蓄積時間を、フィルムに記録された画像の濃度に基づいて制御するための蓄積時間制御手段と、前記第２の撮像素子で電荷がオーバーフローしないように前記第２の光源から出射される赤外光の強度を制御するための赤外強度制御手段とを備えていることを特徴とする。
【０００９】
上記構成によると、第１の光源から出射された赤外光は第１の分離手段により分離されてフィルムを透過せず、第１の光源からの可視光及び第２の光源からの赤外光だけがフィルムを透過してさらに第２の分離手段によって分離され、第１及び第２の撮像素子によってそれぞれ光電変換される。ここで第１及び第２の撮像素子による電荷蓄積時間は、フィルムに記録された画像の濃度に基づいて、適切な長さに制御される。またさらに、第２の撮像素子で電荷がオーバーフローしないように、第２の光源から出射される赤外光の強度が制御される。つまり、フィルムに記録された画像が高濃度のときのように電荷蓄積時間が長くなるよう制御される場合においても、スキャニング用の赤外光と可視光とを別々の光源から出射し、且つ、赤外強度制御手段によって赤外光用撮像素子で電荷がオーバーフローしないように赤外光の強度を制御することで、画像の濃度に適したスキャニング処理を行うことができると共に、赤外光によるフィルムに形成された傷や付着した塵埃の検出を精度よく行える。また、上記構成によると、オーバーフローを防止するために撮像素子をシャッタ機能付きのものにする必要がないので、コストを抑えることができる。またさらに、従来技術では不可能である電荷蓄積時間の整数倍以外の変更も可能となり、取り込んだ画像の画質を向上させることができる。
【００１０】
請求項２のフィルムスキャナは、可視光を出射する第１の光源と、赤外光を出射する第２の光源と、前記第１の光源及び前記第２の光源から出射されて前記フィルムに記録された画像を透過した光を、可視光と赤外光とに分離する分離手段と、前記分離手段で分離された可視光について光電変換を行うための第１の撮像素子と、前記分離手段で分離された赤外光について光電変換を行うための第２の撮像素子と、前記第１の撮像素子及び前記第２の撮像素子で行われる光電変換での電荷蓄積時間を、フィルムに記録された画像の濃度に基づいて制御するための蓄積時間制御手段と、前記第２の撮像素子で電荷がオーバーフローしないように前記第２の光源から出射される赤外光の強度を制御するための赤外強度制御手段とを備えていることを特徴とする。
【００１１】
上記構成によると、可視光及び赤外光が２つの光源から別々に出射されてフィルムを透過し、分離手段により分離されてそれぞれ別の撮像素子によって光電変換される。赤外光は可視光と異なる光源から出射されるものであり、赤外強度制御手段によって赤外光用の撮像素子で電荷がオーバーフローしないように赤外光の強度が制御されるようになっていることから、請求項１と同様の効果を得ることができる。またさらに、請求項２によると、請求項１において必須要素である第１の分離手段（第１の光源及び第２の光源から出射された光を、第１の光源から出射された可視光及び第２の光源から出射された赤外光と、第１の光源から出射された赤外光とに分離する手段）を省略できるので、より単純な構成となる。
【００１２】
【発明の実施の形態】
以下、本発明の好適な実施の形態について、図面を参照しつつ説明する。
【００１３】
先ず、本発明の第１の実施形態に係るフィルムスキャナの構成について、図１に基づき説明する。本実施形態のフィルムスキャナ１００は、写真フィルム１に記録された画像をデジタル画像として取り込むものであり、フィルム供給装置１１０と、フィルム切断処理装置１２０と、スキャナ部１３０と、制御ユニット１４０とを備えている。
【００１４】
スキャンニング処理に用いられる写真フィルム１は、長さや幅、コマ数は任意で、例えば素抜け部を介して複数の画像が並列された長尺のフィルムである。写真フィルム１がフィルム供給装置１１０に装着されると、フィルム供給装置１１０とフィルム切断処理装置１２０との間の搬送経路に沿って配置された複数のローラ対に挟持されながら、後述のスキャナ部１３０のフィルム搬送ユニット１２へと搬送される。スキャナ部１３０によるスキャニング処理を終えた写真フィルム１はフィルム切断処理装置１２０へとさらに搬送され、フィルム切断処理装置１２０において所定コマ数に切断され、ピースネガとなってネガシートの袋内に収納される。
【００１５】
次に、スキャナ部１３０の構成について説明する。スキャナ部１３０は、照明光学ユニット１１と、フィルム搬送ユニット１２と、オートフィルムマスク１３と、レンズ１４と、コールドミラー１７と、可視光用ＣＣＤ１５と、赤外光用ＣＣＤ１６とから構成されている。
【００１６】
照明光学ユニット１１は、赤外光を出射する赤外発光ダイオード（以下、赤外ＬＥＤと称する）２１と、可視光及び赤外光を出射するハロゲンランプ２２と、可視光を反射させて赤外光のみを透過させるという特徴を有するコールドミラー２３と、拡散板２４とが、ランプハウス内に収納された構成となっている。コールドミラー２３が図１に示すように略４５度の角度をなして設置されていることから、ハロゲンランプ２２から紙面右側に出射された可視光（図中実線で示す）は略直角に反射されて紙面下側へと導かれる。一方、赤外ＬＥＤ２１から出射された赤外光（図中一点鎖線で示す）は、コールドミラー２３を透過し、ハロゲンランプ２２からの可視光と共に紙面下側へと導かれる。なお、ハロゲンランプ２２からは可視光だけではなく赤外光も出射される（図示せず）が、この赤外光はコールドミラー２３を透過して紙面右側に移動し、写真フィルム１を透過しないようになっている。換言すると、コールドミラー２３によって、ハロゲンランプ２２及び赤外ＬＥＤ２１の２つの光源から出射された光は、図１において実線及び一点鎖線で示すハロゲンランプ２２から出射された可視光及び赤外ＬＥＤ２１から出射された赤外光と、図１において示していないハロゲンランプ２２から出射された赤外光とに分離されている。
【００１７】
コールドミラー２３によって反射された可視光及び透過された赤外光は、拡散板２４によって赤外光による写真フィルム１の傷や塵埃を効率よく検出できるよう適度に拡散される。拡散されない場合に比べ、適度に拡散された赤外光は写真フィルム１の表面に形成された傷や塵埃の部分において、より様々な方向に乱反射する。乱反射した赤外光は後述の赤外光用ＣＣＤ１６によって受光され、写真フィルム１の傷や塵埃は明瞭に検出される。
【００１８】
拡散板１４により拡散され、照明光学ユニット１１のランプハウス外へと出射された可視光及び赤外光は、写真フィルム１を上面略垂直方向から照射する。上述したフィルム供給装置１１０から送出された写真フィルム１は、パルスモータ２７で駆動される複数のローラ列２６を有するフィルム搬送ユニット１２によって、長手方向にテンションが付与されたまま所定速度で搬送されていく。
【００１９】
フィルム搬送ユニット１２の真下には、通過孔形成ブロック（図示せず）を有するオートフィルムマスク１３が配置されている。オートフィルムマスク１３は、写真フィルム１を透過した可視光及び赤外光をさらに通過孔形成ブロックに通すことでスリット光とし、後述の可視光用ＣＣＤ１５及び赤外光用ＣＣＤ１６へと導くことを可能とするものである。これにより、多数の受光素子が一方向に配列されたラインＣＣＤである可視光用ＣＣＤ１５及び赤外光用ＣＣＤ１６によって、写真フィルム１の各コマ画像をライン毎にスキャニング処理できるようになっている。
【００２０】
オートフィルムマスク１３によりスリット光とされた可視光及び赤外光は、さらにレンズ１４を介して、それぞれ可視光用ＣＣＤ１５及び赤外光用ＣＣＤ１６に結像される。レンズ１４の下側には、図１に示すように略４５度の角度をなすコールドミラー１７が配置されている。このコールドミラー１７は、上述の照明光学ユニット１１に配置されたコールドミラー２３と同様のもので、可視光を反射させて赤外光のみを透過させるという特徴を有する。したがって、レンズ１４を透過した可視光及び赤外光は、コールドミラー１７によって分離され、可視光はコールドミラー１７により略直角に反射されて紙面左側へと導かれ、赤外光はコールドミラー１７を透過して紙面下側へと導かれ、それぞれ可視光用ＣＣＤ１５及び赤外光用ＣＣＤ１６によって受光される。
【００２１】
可視光用ＣＣＤ１５及び赤外光用ＣＣＤ１６は、それぞれ可視光及び赤外光を受光して、光電変換を行う。可視光用ＣＣＤ１５及び赤外光用ＣＣＤ１６の電荷蓄積時間や電荷蓄積動作は、写真フィルム１に記録された画像の濃度に基づいて、後述の制御ユニット１４０によって制御される。
【００２２】
可視光用ＣＣＤ１５は、Ｒ・Ｇ・Ｂの各色を検出するために割り当てられた３つのＣＣＤセンサ１５ａ，１５ｂ，１５ｃを備えている。各ＣＣＤセンサ１５ａ，１５ｂ，１５ｃの撮像面には、写真フィルム１を透過した光のうち、それぞれ赤色・緑色・青色成分のみを通過させるカラーフィルタが設けられている。これにより、各ＣＣＤセンサ１５ａ，１５ｂ，１５ｃがそれぞれ赤色成分・緑色成分・青色成分のみを光電変換可能になっている。一方、赤外光用ＣＣＤ１６は赤外光のみを受光し、写真フィルム１に形成された傷や付着した塵埃を検出するために用いられるものである。
【００２３】
次に、制御ユニット１４０の構成について説明する。制御ユニット１４０は、互いに接続されたＣＰＵ４１、ＡＯＭ４２、及びＲＡＭ４３から構成されており、入力手段としてのキーボード４５及び表示手段としてのモニタ４６と接続されている。また制御ユニット１４０は、上述した照明光学ユニット１１、フィルム搬送装置１２のパルスモータ２７、レンズ１４、可視光用ＣＣＤ１５、及び赤外光用ＣＣＤ１６のそれぞれを駆動するための各ドライバ（共に図示せず）と接続されている。
【００２４】
制御ユニット１４０におけるＣＰＵ４１は、スキャナ部１３０の各部１１，１２，１５，１６の動作を制御する信号を生成するために様々な演算を実行し、その演算結果に応じてスキャナ部１３０の各部１１，１２，１５，１６のドライバに対して命令を出力する。ＲＯＭ４２は、ＣＰＵ４１で行われる演算のプログラムやそれに必要なデータを記憶している。またさらに、ＲＯＭ４２には、写真フィルム１に記録された画像の濃度と、画像濃度によって変化する可視光の透過率に応じて所定のＳ／Ｎ比が得られるように設定された電荷蓄積時間と、赤外光用ＣＣＤ１６において電荷がオーバーフローしないような電荷蓄積時間に応じた赤外光強度との関係を示したテーブルが記憶されている。ＲＡＭ４３は、キーボード４５や可視光用及び赤外光用ＣＣＤ１５，１６から得られたデータ、ＣＰＵ４１での演算結果などを一時的に記憶する。
【００２５】
図２には、本発明の第２の実施形態に係るフィルムスキャナの照明光学ユニット１１１が示されている。第２の実施形態における照明光学ユニット１１１は、図１に示した第１の実施形態における照明光学ユニット１１と比較して、ハロゲンランプ２２が可視光を出射する可視発光ダイオード（以下、可視ＬＥＤと称する）２５に置換されると共に、コールドミラー２３が省略されている。可視ＬＥＤ２５からは可視光のみが出射されるため第１の実施形態におけるコールドミラー２３は不要となり、可視ＬＥＤ２５からの可視光と赤外光ＬＥＤ２１からの赤外光とは直接拡散板２４へと入射される。そして可視光及び赤外光は、拡散板２４によって第１の実施形態と同様に拡散され、照明光学ユニット１１１のランプハウス外へと出射される。第２の実施形態において、照明光学ユニット１１１以外の構成要素は第１の実施形態と同様のものとする。
【００２６】
次いで、図３を参照しつつ、第１及び第２の実施形態のフィルムスキャナ１００による処理の一例について述べていく。
【００２７】
先ず、オペレータにより、写真フィルム１が図１のフィルム供給装置１１０に装着され、キーボード４５の“スキャン”ボタンが押下される（Ｓ１；ＹＥＳ）。するとキーボード４５からの“スキャン”ボタン押下の信号は制御ユニット１４０に送信され、制御ユニット１４０により‘プレスキャン’実行命令がスキャナ部１３０の各部に出力される。
【００２８】
制御ユニット１４０の‘プレスキャン’実行命令によるスキャナ部１３０各部の動作を説明する。フィルム搬送ユニット１２は、パルスモータ２７によってローラ列２６が駆動されることにより、写真フィルム１を所定速度で搬送する。第１の実施形態における照明光学ユニット１１ではハロゲンランプ２２から可視光が出射され、コールドミラー２３に反射され、さらに拡散板２４を経て、所定速度で移動する写真フィルム１のコマ画像をライン毎に順次透過していく。一方第２の実施形態における照明光学ユニット１１１では、可視ＬＥＤ２５から可視光が出射され、拡散板２４を経て写真フィルム１のコマ画像を透過する。写真フィルム１を透過した可視光は、オートフィルムマスク１３によりスリット光にされ、レンズ１４を通ってさらにコールドミラー１７で反射されて、可視光用ＣＣＤ１５によって受光される。ここで可視光のＲ・Ｇ・Ｂ各色はそれぞれ３つのＣＣＤセンサ１５ａ，１５ｂ，１５ｃによって検出され、各色のデータが制御ユニット１４０に出力される。制御ユニット１４０では、可視光用ＣＣＤ１５からのデータに基づいてコマ画像の濃度を算出する（Ｓ２）。
【００２９】
写真フィルム１の対象となるコマ画像濃度が算出されると、上述した制御ユニット１４０のＲＯＭ４２に記憶されたテーブルが読み出され、算出された画像濃度に応じて所定のＳ／Ｎ比が得られるようにＣＣＤの電荷蓄積時間が設定される（Ｓ３）。なお、ここで設定される電荷蓄積時間は、可視光用ＣＣＤ１５及び赤外光用ＣＣＤ１６のどちらにも共通のものとする。
【００３０】
次に、ステップＳ３で設定された電荷蓄積時間に応じて、さらにＲＯＭ４２に記憶されたテーブルから、赤外光用ＣＣＤ１６において電荷がオーバーフローしない赤外光強度が得られる（Ｓ４）。
【００３１】
以上ステップＳ２〜Ｓ４においてプレスキャンが実行された後、写真フィルム１は１コマ逆搬送されてから、本スキャンが実行される（Ｓ５）。なお、プレスキャンは、ステップＳ２〜Ｓ４で行われる画像濃度の算出やＣＣＤの電荷蓄積時間及び赤外ＬＥＤ強度の設定だけでなく、本スキャンを行う前に比較的粗い画素数のコマ画像データをモニタ４６に表示してオペレータに通知するものでもある。そしてオペレータはモニタ４６に表示されたコマ画像を参照しつつ、Ｒ，Ｇ，Ｂ各色の色濃度調整、回転、シャープネスなどの編集を行う。後述の本スキャンで得られる画像データは、プレスキャン時に編集されたデータに基づいて、編集されることになる。
【００３２】
本スキャンにおいて、第１の実施形態の照明光学ユニット１１ではハロゲンランプ１１及び赤外ＬＥＤ２１から、第２の実施形態の照明光学ユニット１１１では可視ＬＥＤ２５及び赤外ＬＥＤ２１から、それぞれ可視光及び赤外光が写真フィルム１の上面から略垂直に照射される。このとき赤外ＬＥＤ２１から出射される赤外光は、ステップＳ４で設定された赤外光強度となるよう、制御ユニット１４０により制御されている。
【００３３】
照明光学ユニット１１，１１１のランプハウス外へと出射された可視光及び赤外光は、写真フィルム１を透過し、オートフィルムマスク１３によりスリット光とされ、レンズ１４により結像され、さらにコールドミラー１７によって互いに光路を紙面左側及び下側へと分離されてそれぞれ可視光用ＣＣＤ１５及び赤外光用ＣＣＤ１６に受光される。ここで、可視光用ＣＣＤ１５及び赤外光用ＣＣＤ１６の電荷蓄積時間は、いずれもステップＳ３で設定された電荷蓄積時間となるよう、制御ユニット１４０により制御されている。そして可視光用ＣＣＤ１５の各部１５ａ，１５ｂ，１５ｃにおいて受光されたデータは制御ユニット１４０に出力され、各色Ｒ・Ｇ・Ｂを含んだ画像データとして読み込まれる。一方赤外光用ＣＣＤ１６によって受光されたデータは制御ユニット１４０に出力され、写真フィルム１に形成された傷又は付着した塵埃として検出されて、補正処理に用いられる（Ｓ６）。
【００３４】
次に、写真フィルム１の全コマ画像のスキャニング処理が終了したか否かが判断される（Ｓ７）。全コマ終了していない場合（Ｓ７；ＮＯ）、ステップＳ２に戻ってさらに次の１コマに対しての画像濃度算出処理が行われる。ステップＳ２〜Ｓ７の処理はフィルム供給装置１１０に装着された写真フィルム１の全コマ画像に対してスキャニング処理が終了するまで繰り返し行われ、写真フィルム１の全コマ画像のスキャニング処理が終了したと判断されると（Ｓ７；ＹＥＳ）、フィルムスキャナ１００による処理が終了する。
【００３５】
以上に述べたように、本発明に係る第１の実施形態では、ハロゲンランプ２２からは可視光と共に赤外光が出射されるが、赤外光はコールドミラー２３を透過して写真フィルム１を透過せず、ハロゲンランプ２２からの可視光及び赤外ＬＥＤ２１からの赤外光だけが写真フィルム１を透過する。またさらに、これら写真フィルム１を透過した後の可視光及び赤外光は、レンズ１４の下側のコールドミラー１７によって互いに分離され、可視光用ＣＣＤ１５及び赤外光用ＣＣＤ１６によってそれぞれ光電変換される。ここで可視光用ＣＣＤ１５及び赤外光用ＣＣＤ１６による電荷蓄積時間は、プレスキャンによって得られる写真フィルム１の対象コマ画像濃度に基づいて、制御ユニット１４０内のＲＯＭ４２に予め記録されているテーブルを参照して適切な長さに設定され、本スキャン時には制御ユニット１４０によって設定された電荷蓄積時間となるよう制御される。またさらに、設定された電荷蓄積時間に応じて、赤外光用ＣＣＤ１６で電荷がオーバーフローしないように赤外光の強度が設定され、本スキャン時には設定された赤外光強度が得られるように赤外ＬＥＤ２１が制御ユニット１４０によって制御される。
【００３６】
したがって、写真フィルム１の対象コマに記録された画像が高濃度のときのように電荷蓄積時間が長くなるよう制御される場合においても、スキャニング用の赤外光と可視光とを別々の光源から出射し、且つ、赤外光用ＣＣＤ１６で電荷がオーバーフローしないように赤外光の強度を制御することで、画像の濃度に適したスキャニング処理を行うことができると共に、赤外光を赤外光用ＣＣＤ１６で受光して傷や塵埃の検出を精度よく行えるようになっている。
【００３７】
また、オーバーフローを防止するために赤外光用ＣＣＤ１６をシャッタ機能付きのものにする必要がないので、コストを抑えることができる。
【００３８】
またさらに、従来技術では不可能であるＣＣＤの電荷蓄積時間を整数倍以外に変更することも可能となり、取り込んだ画像の画質を向上させることができる。
【００３９】
また、本発明に係る第２の実施形態では、照明光学ユニット１１１において出射される可視光及び赤外光が可視ＬＥＤ２５及び赤外ＬＥＤ２１の別々の光源から出射されて写真フィルム１を透過するようになっている。したがって、上述した第１の実施形態の効果と同様の効果を得ることができる。またさらに、本発明に係る第２の実施形態では、図１に示す本発明に係る第１の実施形態で必須要素となる照明光学ユニット１１内のコールドミラー２３を省略することができるので、より単純な構成となる。
【００４０】
以上、本発明の好適な実施の形態について説明したが、本発明は上述の実施の形態に限られるものではなく、特許請求の範囲に記載した限りにおいて様々な設計変更が可能である。例えば第１の実施形態において、照明光学ユニット１１におけるハロゲンランプ２２は、メタルハライドランプなど、可視光及び赤外光を出射する光源であれば他の光源と置換されてよい。また、第１及び第２の実施形態における赤外ＬＥＤ２１は、赤外光を出射する光源であれば、例えばハロゲンランプなど他の光源と置換されてよい。
【００４１】
また、第１の実施形態における照明光学ユニット１１内のコールドミラー２３は、ハロゲンランプ２２からの赤外光が写真フィルム１に照射されないようにしつつ、ハロゲンランプ２２からの可視光及び赤外ＬＥＤ２１からの赤外光が写真フィルム１に対して上面から略垂直方向に照射されるように導くものであれば、これに限定されるものではない。例えばコールドミラー２３をコールドフィルターと置換し、ハロゲンランプ２２及び赤外ＬＥＤ２１の配置を変更することにより、上記のようにハロゲンランプ２２からの可視光及び赤外ＬＥＤ２１からの赤外光のみが写真フィルム１に照射されるように構成してよい。
【００４２】
なお、第１及び第２の実施形態におけるレンズ１４下方のコールドミラー１７は、写真フィルム１を透過後の可視光及び赤外光を分離するものであればよく、上記コールドミラー２３と同様でこれに限定されずにコールドフィルターなど他のものと置換されてよい。
【００４３】
また、第１及び第２の実施形態の照明光学ユニット１１，１１１において、拡散板２４は省略されてよく、その他適宜調光フィルターなどを付加的に配置してよい。
【００４４】
また、可視光用ＣＣＤ１５及び赤外光用ＣＣＤ１６はラインＣＣＤであるとしているが、エリアＣＣＤであってもよい。この場合、写真フィルム１を１コマ分ずつ間欠的に搬送すればよい。
【００４５】
また、図３を参照して述べた第１及び第２の実施形態のフィルムスキャナ１００によるスキャニング処理は一例であり、その他様々なフローが考えられる。例えばプレスキャン及び本スキャンの処理を写真フィルム１の各コマに対して行うのではなく、全コマに対してプレスキャンした後、逆搬送してから全コマ本スキャンを行うか、あるいは逆搬送しつつ最後にプレスキャンしたコマから順次本スキャンを行ってよい。
【００４６】
【発明の効果】
請求項１によると、シャッタ機能付きの撮像素子にすることなくコストを抑えながらオーバーフローの問題を解消し、フィルムに形成された傷や付着した塵埃を精度よく検出できると共に、取り込んだ画像の画質を向上させることができる。
【００４７】
請求項２によると、請求項１と同様の効果を得ることができると共に、より単純な構成とすることができる。
【図面の簡単な説明】
【図１】本発明の第１の実施形態に係るフィルムスキャナの構成を示すブロック図である。
【図２】本発明の第２の実施形態に係るフィルムスキャナにおける照明光学ユニットの構成を示すブロック図である。
【図３】本発明に係るフィルムスキャナによる処理の一例を示すフローチャートである。
【符号の説明】
１５　可視光用ＣＣＤ（第１の撮像素子）
１６　赤外光用ＣＣＤ（第２の撮像素子）
１７　コールドミラー（第２の分離手段）
２１　赤外ＬＥＤ（第２の光源）
２２　ハロゲンランプ（第１の光源）
２３　コールドミラー（第１の分離手段）
２５　可視ＬＥＤ（第１の光源）
１００　フィルムスキャナ
１３０　スキャナ部
１４０　制御ユニット（蓄積時間制御手段、赤外強度制御手段）
【図１】
2004056404.tif 000003
【図２】
2004056404.tif 000004
【図３】
2004056404.tif 000005